(57)【要約】【課題】カートリッジ３の交換に要する時間を大幅に短縮して、カートリッジ式の浄水器１の取扱性を十分に向上させる。【解決手段】カートリッジ支持部材２９にカートリッジ３を下方向から液密的に嵌合支持可能な支持凹部３１が形成され、カートリッジ押圧部材３７にカートリッジ３を上方向から液密的に押圧嵌合可能な押圧凹部４１が形成され、ハウジング本体１５におけるカートリッジ押圧部材３７の下側に揺動部材４９が垂直な軸心周りに開閉方向へ揺動可能に設けられていること。【選択図】図１
2014069163.tif 000002
【特許請求の範囲】
【請求項１】
イオン交換樹脂を内包したカートリッジの底部側から頂部側にかけてカートリッジの内部に原水を流通させることにより、浄水を生成するカートリッジ式の浄水器において、
ハウジング本体、及び前記ハウジング本体に開閉可能又は着脱可能に設けられたハウジング蓋を備え、前記ハウジング本体又は前記ハウジング蓋に原水供給源に接続可能であってかつ前記ハウジング本体の外側から原水を供給するための原水供給ポートが設けられ、前記ハウジング本体又は前記ハウジング蓋に前記ハウジング本体の外側へ浄水を排出するための浄水排出ポートが設けられたハウジングと、
前記ハウジング本体内に設けられ、カートリッジを下方向から液密的に嵌合支持可能な支持凹部が形成され、前記支持凹部の底面にカートリッジの底部側へ原水を供給するための供給穴が形成され、前記供給穴が前記原水供給ポートに連通したカートリッジ支持部材と、
前記ハウジング本体内における前記カートリッジ支持部材に上下に離隔した位置に上下方向へ移動可能に設けられ、カートリッジを上方向から液密的に押圧嵌合可能な押圧凹部が形成され、前記押圧凹部の天井面にカートリッジの頂部側から導出した浄水を排出するための排出穴が形成され、前記排出穴が前記浄水排出ポートに連通したカートリッジ押圧部材と、
前記ハウジング本体における前記カートリッジ押圧部材の下側に垂直な軸心周りに開閉方向へ揺動可能に設けられた揺動部材と、 
前記カートリッジ押圧部材を前記揺動部材側へ付勢して前記ハウジング本体に対して固定するパチン錠と、を具備したことを特徴とするカートリッジ式の浄水器。
【請求項２】
前記カートリッジ押圧部材の前記押圧凹部の天井面にカートリッジの頂部側から導出した浄水を流通させるための流通凹部が形成され、前記排出穴が前記流通凹部の天井面に形成されてあって、
前記カートリッジ押圧部材に絶縁して設けられ、先端部が前記カートリッジ押圧部材の前記流通凹部内に位置する一対の電極と、
カートリッジの交換が必要になったことを報知する報知部と、
一対の電極間に流れる電流を検出する電流検出部と、
前記電流に基づいて一対の前記電極間における浄水の電気抵抗を演算する電気抵抗演算部と、
前記電気抵抗がカートリッジを交換するための基準の電気抵抗以下であるか否かを判定する第１判定部と、
カートリッジを前記ハウジング本体内にセットした後の経過時間を計時する計時部と、
前記経過時間がカートリッジを交換するための基準の交換時間を超えたか否かを判定する第２判定部と、
前記第１判定部によって前記電気抵抗が前記基準の電気抵抗以下であると判定された場合、又は前記第２判定部によって前記経過時間が前記基準の交換時間を超えたと判定された場合に、前記報知部による報知処理を実行する報知制御部と、を具備したことを特徴とする請求項１に記載のカートリッジ式の浄水器。
【請求項３】
前記排出穴が前記流通凹部の天井面の中央に形成され、前記カートリッジ押圧部材の前記流通凹部の天井面が前記排出穴側に向かって縮径するようにテーパ形状を呈してあって、前記カートリッジ押圧部材の前記流通凹部の内周面が天井面に滑らかに繋がっていることを特徴とする請求項２に記載のカートリッジ式の浄水器。
【請求項４】
前記ハウジングの表面に設けられ、外光によって発電するソーラーパネルと、
前記ソーラーパネルによって発電された電力を蓄電するバッテリーと、を具備したことを特徴とする請求項２に記載のカートリッジ式の浄水器。
【請求項５】
前記浄水排出ポートは、オートクレーブ装置のチャンバーに接続可能になっていることを特徴とする請求項１から請求項４のうちのいずれかの請求項に記載のカートリッジ式の浄水器。
【発明の詳細な説明】
【技術分野】
【０００１】
本発明は、イオン交換樹脂を内包したカートリッジの底部側から頂部側にかけてカートリッジの内部に水道水等の原水を流通させることにより、浄水を生成するカートリッジ式の浄水器に関する。
【背景技術】
【０００２】
近年、カートリッジ式の浄水器は、滅菌技術の分野、家庭用水の浄化処理の分野、及ぶ工業用純水の製造の分野等、種々の分野において用いられており、一般的なカートリッジ式の浄水器の構成について簡単に説明すると、次のようになる。
【０００３】
一般的なカートリッジ式の浄水器は、ハウジングを具備しており、このハウジングは、ハウジング本体、及びハウジング本体に開閉可能に設けられたハウジング蓋を備えている。また、ハウジング本体には、ハウジング本体の外側から原水を供給するための原水供給ポートが設けられており、この原水供給ポートは、原水供給源に接続可能である。更に、ハウジング本体には、ハウジング本体の外側へ浄水を排出するための浄水排出ポートが設けられている。
【０００４】
ハウジング本体内には、ネジ等を利用してカートリッジを着脱可能に保持するカートリッジ保持部材が設けられている。ここで、カートリッジ保持部材にカートリッジを装着すると、カートリッジの底部側の導入穴が原水供給ポートに連通し、カートリッジの頂部側の導出穴が浄水排出ポート取付部材に連通するようになっている。
【０００５】
なお、本発明に関連する先行技術として特許文献１から特許文献３に示す物がある。
【先行技術文献】
【特許文献】
【０００６】
【特許文献１】特開２００５−３１９３７６号公報
【特許文献２】特開２００８−１５５２０３号公報
【特許文献３】特開２００３−３３９８２８号公報
【発明の概要】
【発明が解決しようとする課題】
【０００７】
ところで、カートリッジ式の浄水器を長期間使用すると、カートリッジに内包したイオン交換樹脂が劣化して、浄水の水質が低下するため、カートリッジを定期的に交換する必要がある。また、カートリッジを交換する際には、使用済みのカートリッジをカートリッジ保持部材から離脱させて、ハウジング本体内から取出したり、未使用のカートリッジをカートリッジ保持部材に装着して、ハウジング本体内にセットしたりする必要があり、その作業に非常に手間がかかる。そのため、カートリッジの交換に多くの時間を要し、カートリッジ式の浄水器の取扱性を十分に向上させることが困難であるという問題がある。
【０００８】
そこで、本発明は、前述の問題を解決することができる、新規な構成のカートリッジ式の浄水器を提供することを目的とする。
【課題を解決するための手段】
【０００９】
本発明の特徴は、イオン交換樹脂を内包したカートリッジの底部側から頂部側にかけてカートリッジの内部に原水を流通させることにより、浄水を生成するカートリッジ式の浄水器において、
ハウジング本体、及び前記ハウジング本体に開閉可能又は着脱可能に設けられたハウジング蓋を備え、前記ハウジング本体又は前記ハウジング蓋に原水供給源に接続可能であってかつ前記ハウジング本体の外側から原水を供給するための原水供給ポートが設けられ、前記ハウジング本体又は前記ハウジング蓋に前記ハウジング本体の外側へ浄水を排出するための浄水排出ポートが設けられたハウジングと、
前記ハウジング本体内に設けられ、カートリッジを下方向から液密的に嵌合支持可能な支持凹部が形成され、前記支持凹部の底面にカートリッジの底部側へ原水を供給するための供給穴が形成され、前記供給穴が前記原水供給ポートに連通したカートリッジ支持部材と、
前記ハウジング本体内における前記カートリッジ支持部材に上下に離隔した位置に上下方向へ移動可能に設けられ、カートリッジを上方向から液密的に押圧嵌合可能な押圧凹部が形成され、前記押圧凹部の天井面にカートリッジの頂部側から導出した浄水を排出するための排出穴が形成され、前記排出穴が前記浄水排出ポートに連通したカートリッジ押圧部材と、
前記ハウジング本体における前記カートリッジ押圧部材の下側に垂直（鉛直）な軸心周りに開閉方向へ揺動可能に設けられた揺動部材と、 
前記カートリッジ押圧部材を前記揺動部材側へ付勢して前記ハウジング本体に対して固定するパチン錠と、を具備したこと要旨とする。
【００１０】
なお、本願の明細書及び特許請求の範囲において、「設けられ」とは、直接的に設けられたことの他に、別部材を介して間接的に設けられたことを含む意であって、「上下方向へ移動可能」とは、上下方向へ揺動可能を含む意である。
【００１１】
本発明の特徴からなる前記カートリッジ式の浄水器のカートリッジの交換は、次のように行う。
【００１２】
前記ハウジング蓋を開くか又は前記ハウジング本体から離脱させて、前記パチン錠による固定状態を解除する。次に、前記カートリッジ押圧部材を上方向へ移動させることにより、使用済みのカートリッジの頂部側（上部）と前記カートリッジ押圧部材の前記押圧凹部との嵌合状態を解除する。また、前記揺動部材を開方向へ揺動させて、前記使用済みのカートリッジに対して離反させる。そして、前記使用済みのカートリッジを前記カートリッジ支持部材に対して相対的に上方向へ移動させることにより、前記使用済みのカートリッジの底部側（下部）と前記カートリッジ支持部材の前記支持凹部との嵌合状態を解除する。これにより、前記使用済みのカートリッジを前記ハウジング本体内から取出すことができる。
【００１３】
前記使用済みのカートリッジを前記ハウジング本体内から取出した後に、未使用のカートリッジを前記カートリッジ支持部材に対して相対的に下方向へ移動させることにより、前記未使用のカートリッジの底部側を前記カートリッジ支持部材の前記支持凹部に嵌合させる。次に、前記カートリッジ押圧部材を下方向へ移動させることにより、前記カートリッジ押圧部材の前記押圧凹部を前記未使用のカートリッジの頂部側に嵌合させる。更に、前記揺動部材を閉方向へ揺動させて、前記未使用のカートリッジに対して接近させる。そして、前記パチン錠によって前記カートリッジ押圧部材を前記揺動部材側へ付勢して前記ハウジング本体に対して固定する。これにより、前記未使用のカートリッジを前記ハウジング本体内にセット（装着）することができる。なお、前記未使用のカートリッジを前記ハウジング本体内にセットした後に、前記ハウジング蓋を閉じるか又は前記ハウジング本体に装着しておく。
【００１４】
つまり、前記カートリッジ支持部材にカートリッジを下方向から液密的に支持嵌合可能な前記支持凹部が形成され、前記カートリッジ押圧部材にカートリッジを上方向から液密的に押圧嵌合可能な押圧凹部が形成され、前記ハウジング本体における前記カートリッジ押圧部材の下側に前記揺動部材が垂直な軸心周りに開閉方向へ揺動可能に設けられているため、前記使用済みのカートリッジを前記ハウジング本体内から取出したり、前記未使用のカートリッジを前記ハウジング本体内にセットしたりする作業を、前記パチン錠を用いて簡単に行うことができる。
【発明の効果】
【００１５】
本発明によれば、前記使用済みのカートリッジを前記ハウジング本体内から取出したり、前記未使用のカートリッジを前記ハウジング本体内にセットしたりする作業を、前記パチン錠を用いて簡単に行うことができるため、カートリッジの交換に要する時間を大幅に短縮して、前記カートリッジ式の浄水器の取扱性を十分に向上させることができる。
【図面の簡単な説明】
【００１６】
【図１】図１は、本発明の実施形態に係るカートリッジ式の浄水器の斜視図であって、カートリッジをハウジング本体から取出した状態を示している。
【図２】図２は、本発明の実施形態に係るカートリッジ式の浄水器の斜視図であって、カートリッジをハウジング本体内にセットした状態を示している。
【図３】図３は、本発明の実施形態に係るカートリッジ式の浄水器の側断面図である。
【図４】図４は、図３における矢視部IVの拡大図である。
【図５】図５は、本発明の実施形態に係るカートリッジ式の浄水器の制御ブロック図である。
【図６】図６は、本発明の実施形態に係るカートリッジ式の浄水器の斜視図であって、ハウジング蓋を閉じた状態を示している。
【発明を実施するための形態】
【００１７】
以下、本発明の実施形態について図１から図６を参照して説明する。
【００１８】
図１から図３、及び図６に示すように、本発明の実施形態に係るカートリッジ式の浄水器１は、イオン交換樹脂を内包した円柱状のカートリッジ３の底部側から頂部側にかけてカートリッジ３の内部に原水としての水道水を流通させることにより、オートクレーブ滅菌に適した浄水を生成する装置である。ここで、カートリッジ３の底部の中央には、カートリッジ３の内部に水道水を導入する導入穴５が形成されており、カートリッジ３の底部における導入穴５の周りには、下部パッキン７が着脱可能に設けられている。また、カートリッジ３の頂部の中央には、カートリッジ３の内部から浄水を導出する導出穴９が形成されており、カートリッジ３の頂部における導出穴９の周りには、上部パッキン１１が着脱可能に設けられている。そして、カートリッジ式の浄水器１の具体的な構成は、以下のようになる。
【００１９】
カートリッジ式の浄水器１は、ハウジング１３を具備しており、このハウジング１３は、上下方向へ延びたハウジング本体１５、及びこのハウジング本体１５の正面側に開閉可能に設けられたハウジング蓋１７を備えている。また、ハウジング本体１５の側面の下部には、ハウジング本体１５の外側から水道水を供給するための原水供給ポートとしての水道水供給ポート１９が設けられており、この水道水供給ポート１９は、原水供給源としての水道蛇口（図示省略）に水道水供給ホース２１を介して接続可能である。そして、ハウジング本体１５の側面の上部には、ハウジング本体１５の外側へ浄水を排出するための浄水排出ポート２３が設けられており、この浄水排出ポート２３は、オートクレーブ装置のチャンバー（図示省略）に浄水供給ホース２５を介して接続可能である。更に、ハウジング本体１５の側面の上部には、把手２７が設けられている。
【００２０】
なお、ハウジング蓋１７がハウジング本体１５に開閉可能に設けられる代わりに、ハウジング本体１５に着脱可能に設けられても構わない。また、水道水供給ポート１９及び浄水排出ポート２３がハウジング本体１５に設けられる代わりに、ハウジング蓋１７に設けられるようにしても構わない。
【００２１】
図３及び図４に示すように、ハウジング本体１５内の下部には、カートリッジ支持部材２９が設けられており、このカートリッジ支持部材２９は、絶縁樹脂により構成されている。また、カートリッジ支持部材２９には、カートリッジ３を下方向から液密的に嵌合支持可能な円形の支持凹部３１が形成されており、この支持凹部３１の底面には、カートリッジ３の下部パッキン７に圧接可能な環状の下部突起（図３及び図４において図示省略）が形成されている。更に、カートリッジ支持部材２９の支持凹部３１の底面の中央には、カートリッジ３の導入穴５へ水道水を供給するための供給穴３３が形成されており、この供給穴３３は、水道水供給ポート１９に下部連絡ホース３５を介して連通してある。
【００２２】
ハウジング本体１５内におけるカートリッジ支持部材２９に上下に離隔した位置には、 カートリッジ押圧部材３７が丁番３９等を介して上下方向へ揺動可能に設けられており、このカートリッジ押圧部材３７の大部分は、絶縁樹脂により構成されている。また、カートリッジ押圧部材３７には、カートリッジ３を上方向から液密的に押圧嵌合可能な円形の押圧凹部４１が形成されており、この押圧凹部４１の天井面には、カートリッジ３の上部パッキン１１に圧接可能な環状の上部突起（図３及び図４において図示省略）が形成されている。更に、カートリッジ押圧部材３７の押圧凹部４１の天井面には、カートリッジ３の導出穴９から導出した浄水を流通させるための流通凹部（流通室）４３が形成されている。そして、カートリッジ押圧部材３７の流通凹部４３の天井面の中央（換言すれば、押圧凹部４１の天井面の中央）には、カートリッジ３の導出穴９から導出した浄水を排出するための排出穴４５が形成されており、この排出穴４５は、浄水排出ポート２３に上部連絡ホース４７を介して連通してある。ここで、カートリッジ押圧部材３７の流通凹部４３の天井面は、排出穴４５側に向かって縮径するようにテーパ形状を呈しており、カートリッジ押圧部材３７の流通凹部４３の内周面と天井面との境界は、Ｒ形状を呈してあって、換言すれば、カートリッジ押圧部材３７の流通凹部４３の内周面と天井面は、滑らかに繋がっている。
【００２３】
ハウジング本体１５におけるカートリッジ押圧部材３７の下側には、揺動部材４９がブラケット５１を介して垂直（鉛直）な軸心周りに開閉方向へ揺動可能に設けられている。また、揺動部材４９の中央には、パチン錠５３の一部を構成する台座５５が設けられており、このパチン錠は、カートリッジ押圧部材３７を揺動部材４９側へ付勢してハウジング本体１５に対して固定するものである。そして、パチン錠５３は、台座５５の他に、カートリッジ押圧部材３７の正面の中央に設けられたフック５７と、台座５５に水平な軸心周りにロック方向（下方向）及びロック解除方向（上方向）へ揺動可能に設けられたロックレバー５９と、このロックレバー５９に水平な軸心周りに揺動可能に設けられかつフック５７に係止可能な係止金６１と、ロックレバー５９と係止金６１の間に設けられた一対のスプリング６３とを備えている。
【００２４】
図１及び図３に示すように、カートリッジ押圧部材３７には、一対（図３において１つのみ図示）の電極６５が絶縁して設けられおり、各電極６５の先端部は、カートリッジ押圧部材３７の流通凹部４３内に位置している。また、ハウジング本体１５には、制御ボックス６７が着脱可能に設けられており、制御ボックス６７の表面には、リセット信号を出力するための操作ボタン６９が設けられている。更に、制御ボックス６７の表面における操作ボタン６９に隣側には、カートリッジ３の交換が必要になったことを点滅によって報知する報知部としての報知ランプ７１が設けられており、換言すれば、ハウジング１３には、報知ランプ７１が制御ボックス６７を介して設けられている。
【００２５】
図３及び図５に示すように、制御ボックス６７内には、コントローラ７３が設けられており、このコントローラ７３は、制御プログラム等を記憶するメモリと、制御プログラムの処理を実行するＣＰＵとを備えてあって、コントローラ７３には、一対の電極６５、操作ボタン６９、及び報知ランプ７１が電気的に接続されている。そして、コントローラ７３のＣＰＵは、電流検出部７５としての機能、電気抵抗演算部７７としての機能、第１判定部７９としての機能、計時部８１としての機能、第２判定部８３としての機能、及び報知制御部８５としての機能を有しており、電流検出部７５等の具体的な内容は、次のようになる。
【００２６】
電流検出部７５は、一対の電極６５間に流れる電流を検出するものであって、電気抵抗演算部７７は、前記電流（電流検出部７５によって検出された電流）に基づいて一対の電極６５間における浄水の電気抵抗を演算するものであって、第１判定部７９は、前記電気抵抗（電気抵抗演算部７７によって演算された電気抵抗）がカートリッジ３を交換するための基準の電気抵抗以下であるか否かを判定するものである。また、計時部８１は、カートリッジ３をハウジング１３内にセットした後の経過時間、具体的には、操作ボタン６９からリセット信号が入力された後の経過時間を計時するものであって、第２判定部８３は、前記経過時間（計時部８１によって計時された経過時間）がカートリッジ３を交換するための基準の交換時間を超えたか否かを判定するものである。そして、報知制御部８５は、第１判定部７９によって前記電気抵抗が基準の電気抵抗以下であると判定された場合、又は第２判定部８３によって前記経過時間が基準の交換時間を超えたと判定された場合に、報知ランプ７１による報知処理を実行するものである。
【００２７】
制御ボックス６７の表面には、室内光等の外光によって発電するソーラーパネル８７が設けられており、換言すれば、ハウジング１３の表面には、ソーラーパネル８７が制御ボックス６７を介して設けられている。また、制御ボックス６７の底側には、コントローラ７３及び報知ランプ７１等に電力を供給するバッテリー８９が着脱可能に設けれており、このバッテリー８９は、ソーラーパネル８７によって発電された電力を蓄電するようになっている。
【００２８】
続いて、本発明の実施形態の作用及び効果について説明する。
【００２９】
水道水供給ポート１９を水道蛇口に接続しかつ浄水排出ポート２３をオートクレーブ装置のチャンバーに接続した状態で、水道蛇口を開いて、水道水供給ホース２１、水道水供給ポート１９、及び上部連絡ホース４７を経由してカートリッジ支持部材２９の供給穴３３からカートリッジ３の導入穴５へ水道水を供給することにより、カートリッジ３の底部側から頂部側にかけてカートリッジ３の内部に水道水を流通させる。これにより、オートクレーブ滅菌に適した浄水を生成することができると共に、カートリッジ押圧部材３７の流通凹部４３、カートリッジ押圧部材３７の排出穴４５、上部連絡ホース４７、浄水排出ポート２３、及び浄水供給ホース２５を経由して浄水をオートクレーブ装置のチャンバーへ供給することができる（カートリッジ式の浄水器１の浄水生成に関する作用）。
【００３０】
カートリッジ式の浄水器１による浄水生成中、電流検出部７５によって前記電流（一対の電極６５間に流れる電流）を検出し、電気抵抗演算部７７によって前記電流に基づいて前記電気抵抗（一対の電極６５間における浄水の電気抵抗）を演算し、第１判定部７９によって前記電気抵抗が前記基準の電気抵抗以下であるか否かを判定する。これにより、生成される浄水の水質、換言すれば、カートリッジ３の劣化度合いを監視することができる。ここで、カートリッジ押圧部材３７の流通凹部４３の天井面が排出穴４５側に向かって縮径するようにテーパ形状を呈してあって、カートリッジ押圧部材３７の流通凹部４３の内周面と天井面が滑らかに繋がっているため、カートリッジ押圧部材３７の流通凹部４３内の浄水中に気泡が発生することがを抑えることができ、電流検出部７５による検出精度を十分に確保することができる。
【００３１】
一方、操作ボタン６９からリセット信号が入力された後、計時部８１によって前記経過時間（操作ボタン６９からリセット信号が入力された後の経過時間）を計時し、第２判定部８３によって前記経過時間が前記基準の交換時間を超えたか否かを判定する。
【００３２】
そして、第１判定部７９によって前記電気抵抗が基準の電気抵抗以下であると判定された場合、又は第２判定部８３によって前記経過時間が基準の交換時間を超えたと判定された場合に、報知制御部８５によって報知ランプ７１による報知処理を実行する。これにより、使用者はカートリッジ３の交換が必要になったことを知ることができる（カートリッジ式の浄水器１のカートリッジ３の交換判定に関する作用）。
【００３３】
カートリッジ式の浄水器１のカートリッジ３の交換は、次のように行う。
【００３４】
水道蛇口を閉じた状態で、ハウジング蓋１７を開いて、パチン錠５３による固定状態を解除する。次に、カートリッジ押圧部材３７を上方向へ揺動させることにより、使用済みのカートリッジ３の頂部側（上部）とカートリッジ押圧部材３７の押圧凹部４１との嵌合状態を解除する。また、揺動部材４９を開方向へ揺動させて、使用済みのカートリッジ３に対して離反させる。そして、使用済みのカートリッジ３をカートリッジ支持部材２９に対して相対的に上方向へ移動させることにより、使用済みのカートリッジ３の底部側（下部）とカートリッジ支持部材２９の支持凹部３１との嵌合状態を解除する。これにより、使用済みのカートリッジ３をハウジング本体１５内から取出すことができる。
【００３５】
使用済みのカートリッジ３をハウジング本体１５内から取出した後に、未使用のカートリッジ３をカートリッジ支持部材２９に対して相対的に下方向へ移動させることにより、未使用のカートリッジ３の底部側をカートリッジ支持部材２９の支持凹部３１に嵌合させる。次に、カートリッジ押圧部材３７を下方向へ揺動させることにより、カートリッジ押圧部材３７の押圧凹部４１を未使用のカートリッジ３の頂部側に嵌合させる。更に、揺動部材４９を閉方向へ揺動させて、未使用のカートリッジ３に対して接近させる。そして、パチン錠５３によってカートリッジ押圧部材３７を揺動部材４９側へ付勢してハウジング本体１５に対して固定する。これにより、未使用のカートリッジ３をハウジング本体１５内にセット（装着）することができる。なお、未使用のカートリッジ３をハウジング本体１５内にセットした後に、ハウジング蓋１７を閉じておく。
【００３６】
つまり、カートリッジ支持部材２９にカートリッジ３を下方向から液密的に嵌合支持可能な支持凹部３１が形成され、カートリッジ押圧部材３７にカートリッジ３を上方向から液密的に押圧嵌合可能な押圧凹部４１が形成され、ハウジング本体１５におけるカートリッジ押圧部材３７の下側に揺動部材４９が垂直な軸心周りに開閉方向へ揺動可能に設けられているため、使用済みのカートリッジ３をハウジング本体１５内から取出したり、未使用のカートリッジ３をハウジング本体１５内にセットしたりする作業を、パチン錠５３を用いて簡単に行うことができる（カートリッジ式の浄水器１のカートリッジ３の交換に関する作用）。
【００３７】
従って、本発明の実施形態によれば、前記使用済みのカートリッジ３をハウジング本体１５内から取出したり、未使用のカートリッジ３をハウジング本体１５内にセットしたりする作業を、パチン錠５３を用いて簡単に行うことができるため、カートリッジ３の交換に要する時間を大幅に短縮して、カートリッジ式の浄水器１の取扱性を十分に向上させることができる。
【００３８】
また、第２判定部８３によって前記経過時間が基準の交換時間を超えたと判定された場合の他に、第１判定部７９によって前記電気抵抗が基準の電気抵抗以下であると判定された場合に、報知制御部８５によって報知ランプ７１による報知処理を実行するため、報知ランプ７１の報知に基づいてカートリッジ３の交換を適切に行うことによって浄水の水質を高品質に保つことができる。
【符号の説明】
【００３９】
１      カートリッジ式の浄水器
３      カートリッジ
５      導入穴
９      導出穴
１３      ハウジング
１５      ハウジング本体
１７      ハウジング蓋
１９      水道水供給ポート
２３      浄水排出ポート
２９      カートリッジ支持部材
３１      支持凹部
３３      供給穴
３７      カートリッジ押圧部材
４１      押圧凹部
４３      流通凹部
４５      排出穴
４９      揺動部材
５３      パチン錠
６５      電極
６７      制御ボックス
６９      操作ボタン
７１      報知ランプ
７３      コントローラ
７５      電流検出部
７７      電気抵抗演算部
７９      第１判定部
８１      計時部
８３      第２判定部
８５      報知制御部
８７      ソーラーパネル
８９      バッテリー
【図１】
2014069163.tif 000003
【図２】
2014069163.tif 000004
【図３】
2014069163.tif 000005
【図４】
2014069163.tif 000006
【図５】
2014069163.tif 000007
【図６】
2014069163.tif 000008